(57)【要約】【課題】遠方からの接続および切り離し操作を容易かつ安全で確実に行うことができる絶縁計器用変圧器を提供する。【解決手段】ガス絶縁計器用変圧器１０は、変圧器としての役割を果たす変圧器本体部１１と、ガス絶縁開閉装置１２との電気的な接続状態を切り替える接点機構部１３を制御する制御手段１４とを具備し、操作員が遠隔の制御手段１４に備えられる入力手段３１から電気的な接続状態を切り替える入力操作を行うことで、制御手段１４に備えられる駆動制御手段３０が回転軸２７、接点機構駆動装置１８および駆動ロッド２３を介して、ケーシング２５の内部に設けられる接点２１ａ，２１ｂと接触子２２との接触または切り離しの状態を切替操作することが可能となる。【選択図】  図１
2004273858.tif 000002
【特許請求の範囲】
【請求項１】
絶縁ガスを充填した容器内に収納され、電圧変成を行う電圧変成部と、この電圧変成部と外部機器との電気的な接続状態を切り替える接点機構部と、前記接点機構部の電気的な接続状態を切り替える接点機構駆動装置と、この接点機構駆動装置を手動操作にて駆動せしめ得る操作ハンドルとを備えて成る変圧器本体部と、
前記接点機構部の電気的な接続状態の切り替えを制御する制御手段とを具備することを特徴とするガス絶縁計器用変圧器。
【請求項２】
前記制御手段は、前記接点機構駆動装置に機械的に接続された回転軸の回転数を検出する回転数検出手段と、
前記回転軸を回転駆動させる駆動手段と、
前記駆動手段を制御する駆動制御手段と、
前記駆動制御手段に指令を入力する入力手段と、
前記接点機構部の現在の電気的接続状態を表示する表示手段と、
前記接点機構部の現在の電気的接続状態を検出する入／切状態検出手段とを備えることを特徴とする請求項１記載のガス絶縁計器用変圧器。
【請求項３】
絶縁ガスを充填した容器内に収納され、電圧変成を行う電圧変成部と、この電圧変成部と外部機器との電気的な接続状態を切り替える接点機構部と、前記接点機構部の電気的な接続状態を切り替える接点機構駆動装置と、この接点機構駆動装置を手動操作にて駆動せしめ得る操作ハンドルとを備えて成る変圧器本体部と、
前記接点機構部の電気的な接続状態の切り替えを制御する制御手段とを具備し、前記制御手段は、
前記接点機構駆動装置に機械的に接続された回転軸の回転数を検出する回転数検出手段と、
前記回転軸を回転駆動させる駆動手段と、
前記駆動手段を制御する駆動制御手段と、
前記駆動制御手段に直接および無線で指令の入力を受け付ける入力手段と、
前記接点機構部の現在の電気的接続状態を表示し、かつ、他の表示手段に前記接点機構部の現在の電気的接続状態を無線で送信する表示手段と、
前記接点機構部の現在の電気的接続状態を検出する入／切状態検出手段と、
前記入力手段に無線で入力した指令の送信および前記接点機構部の現在の電気的接続状態を前記表示手段から受信して表示の少なくとも一方が可能な無線携帯操作手段を備えることを特徴とする請求項１記載のガス絶縁計器用変圧器。
【請求項４】
前記制御手段は、ガス絶縁開閉装置の接地開閉器が接地されているか否かを検出する接地状態検出手段を備えることを特徴とする請求項２または３記載のガス絶縁計器用変圧器。
【請求項５】
前記制御手段は、ガス絶縁開閉装置の遮断器が投入可能な状態にあるか否かを検出し出力する遮断器投入可否検出手段を備えることを特徴とする請求項２または３記載のガス絶縁計器用変圧器。
【請求項６】
前記制御手段は、前記回転軸の回転を停止させる回転ロック手段を備えることを特徴とする請求項２または３記載のガス絶縁計器用変圧器。
【発明の詳細な説明】
【０００１】
【発明の属する技術分野】
本発明は、計器用変圧器に係り、特に、ガス絶縁開閉装置との電気的な接続状態を切り替える切替操作の容易性、安全性、信頼性の向上を図ったガス絶縁計器用変圧器に関する。
【０００２】
【従来の技術】
一般に、ガス絶縁計器用変圧器はガス絶縁開閉装置に接続して、電圧を変成する場合に適用され、通常の運用時においては、ガス絶縁計器用変圧器とガス絶縁開閉装置とは電気的に接続された状態にある。一方、ガス絶縁開閉装置の直流および交流絶縁試験時においては、ガス絶縁計器用変圧器とガス絶縁開閉装置とを切り離した状態にて行う必要があり、ガス絶縁計器用変圧器は、ガス絶縁開閉装置と電気的な接続を切替可能に構成される。
【０００３】
図６および図７に従来のガス絶縁計器用変圧器の内部構造を説明する断面図を示し、通常の運用時および絶縁試験時における従来のガス絶縁計器用変圧器（三相形）の内部構造をする。
【０００４】
図６に示される従来のガス絶縁計器用変圧器１は、通常の運用時における内部構造を示したものであり、図６によれば、ガス絶縁計器用変圧器１は、ガス絶縁開閉器２との電気的な状態を切り替える断路部としての高圧端子３と接触および非接触する接点部４を先端に有する３本の絶縁操作ロッド５と、これらの絶縁操作ロッド５を一体的に摺動自在に可動させる操作ハンドル６とを備える。
【０００５】
絶縁操作ロッド５は、ケーシング７の気密を保ったまま貫通され、ケーシング７の外部に突出した箇所で３本一体に連結する連結プレート８が固着される。連結プレート８には、操作ハンドル６が取り付けられ、操作ハンドル６を回転操作することによって、連結プレート８を上下に可動させることができる。
【０００６】
また、絶縁計器用変圧器１のケーシング７の内部には、絶縁ガスが充填されており、電圧変成要素としての変圧器本体９が収納される。図６および図７では、三相形を一例としているため、変圧器本体９を３つ備える。
【０００７】
ここで、ガス絶縁計器用変圧器１は、ガス絶縁開閉器２との電気的な状態の切り替え操作について説明する。
【０００８】
通常運用時におけるガス絶縁計器用変圧器１は、断路部としての高圧端子３と絶縁操作ロッド５の先端に取り付けられた接点部４とが接触した状態（以下、入状態とする）にある。一方、図７に示される従来のガス絶縁計器用変圧器１は、断路部としての高圧端子３と絶縁操作ロッド５の先端に取り付けられた接点部４とが非接触の状態（以下、切状態とする）を示している。
【０００９】
ガス絶縁計器用変圧器１は、３本の絶縁操作ロッド５が摺動自在に設けられ、これらの絶縁操作ロッド５の摺動させることによってガス絶縁開閉器２との切り離し動作および接続動作とを行い得るように構成される。また、３本の絶縁制御ロッド５はケーシング連結プレート８によって連結されており、操作ハンドル６の回転操作より、連結プレート８は上下動する。
【００１０】
従って、ガス絶縁計器用変圧器１は、操作ハンドル６を回転操作することで、ガス絶縁開閉器２との電気的な接続状態、すなわち、図６に示される入状態と図７に示される切状態とを切り替えることが可能となる。
【００１１】
上述した従来のガス絶縁計器用変圧器の一実施例は、特開２００１−１１２１２８号公報に掲載されている（例えば、特許文献１参照）。
【００１２】
【特許文献１】
特開２００１−１１２１２８号公報（［００２０］，［００２８］〜［００３８］，図２，図３）
【００１３】
【発明が解決しようとする課題】
しかしながら、従来のガス絶縁計器用変圧器１は、高圧端子３と接点部４との切り離し操作する際において、操作員が操作ハンドル６を手動で回転操作するため、ガス絶縁計器用変圧器１の近傍に近づく必要が有り機器管理の安全対策の面で万全とは言えなかった。
【００１４】
また、ガス絶縁計器用変圧器１は、高圧端子３と接点部４との切り離し操作する際において、操作員が入状態にあるのか切状態にあるのかを判断する必要が有り、もし、操作員が入／切状態の判断を誤ると、誤操作が生じ得る状態にあった。すなわち、ヒューマンエラーによるガス絶縁計器用変圧器１の誤操作防止対策が十分になされていなかった。
【００１５】
本発明は、上述した課題を鑑みて提案されたものであり、絶縁操作ロッドを摺動自在に駆動できるよう電動化することによって、遠方からの接続および切り離し操作を容易かつ安全で確実に行えるように図ったガス絶縁計器用変圧器を提供することを目的とする。
【００１６】
また、本発明の他の目的は、操作員の誤操作の防止を可能に構成し、信頼性の向上を図ったガス絶縁計器用変圧器を提供することにある。
【００１７】
さらに、本発明の他の目的は、遠方からの接続および切り離し操作の融通性および利便性向上を図ったガス絶縁計器用変圧器を提供することにある。
【００１８】
【課題を解決するための手段】
本発明に係るガス絶縁計器用変圧器は、上述した課題を解決するために、請求項１に記載したように、絶縁ガスを充填した容器内に収納され、電圧変成を行う電圧変成部と、この電圧変成部と外部機器との電気的な接続状態を切り替える接点機構部と、前記接点機構部の電気的な接続状態を切り替える接点機構駆動装置と、この接点機構駆動装置を手動操作にて駆動せしめ得る操作ハンドルとを備えて成る変圧器本体部と、前記接点機構部の電気的な接続状態の切り替えを制御する制御手段とを具備することを特徴とする。
【００１９】
上述した課題を解決するために、本発明に係るガス絶縁計器用変圧器は、請求項２に記載したように、前記制御手段は、前記接点機構駆動装置に機械的に接続された回転軸の回転数を検出する回転数検出手段と、前記回転軸を回転駆動させる駆動手段と、前記駆動手段を制御する駆動制御手段と、前記駆動制御手段に指令を入力する入力手段と、前記接点機構部の現在の電気的接続状態を表示する表示手段と、前記接点機構部の現在の電気的接続状態を検出する入／切状態検出手段とを備えることを特徴とする。
【００２０】
また、上述した課題を解決するために、本発明に係るガス絶縁計器用変圧器は、請求項３に記載したように、絶縁ガスを充填した容器内に収納され、電圧変成を行う電圧変成部と、この電圧変成部と外部機器との電気的な接続状態を切り替える接点機構部と、前記接点機構部の電気的な接続状態を切り替える接点機構駆動装置と、この接点機構駆動装置を手動操作にて駆動せしめ得る操作ハンドルとを備えて成る変圧器本体部と、前記接点機構部の電気的な接続状態の切り替えを制御する制御手段とを具備し、前記制御手段は、前記接点機構駆動装置に機械的に接続された回転軸の回転数を検出する回転数検出手段と、前記回転軸を回転駆動させる駆動手段と、前記駆動手段を制御する駆動制御手段と、前記駆動制御手段に直接および無線で指令の入力を受け付ける入力手段と、前記接点機構部の現在の電気的接続状態を表示し、かつ、他の表示手段に前記接点機構部の現在の電気的接続状態を無線で送信する表示手段と、前記接点機構部の現在の電気的接続状態を検出する入／切状態検出手段と、前記入力手段に無線で入力した指令の送信および前記接点機構部の現在の電気的接続状態を前記表示手段から受信して表示の少なくとも一方が可能な無線携帯操作手段を備えることを特徴とする。
【００２１】
さらにまた、上述した課題を解決するために、本発明に係るガス絶縁計器用変圧器は、請求項４に記載したように、前記制御手段は、ガス絶縁開閉装置の接地開閉器が接地されているか否かを検出する接地状態検出手段を備えることを特徴とする。
【００２２】
一方、上述した課題を解決するために、本発明に係るガス絶縁計器用変圧器は、請求項５に記載したように、前記制御手段は、ガス絶縁開閉装置の遮断器が投入可能な状態にあるか否かを検出し出力する遮断器投入可否検出手段を備えることを特徴とする。
【００２３】
また、上述した課題を解決するために、本発明に係るガス絶縁計器用変圧器は、請求項６に記載したように、前記制御手段は、前記回転軸の回転を停止させる回転ロック手段を備えることを特徴とする。
【００２４】
【発明の実施の形態】
以下、本発明に係るガス絶縁計器用変圧器の実施形態について、図１〜図５を参照して具体的に説明する。
【００２５】
［第１の実施形態］
図１に本発明の第１の実施形態に係るガス絶縁計器用変圧器の一実施例であるガス絶縁計器用変圧器１０の構成概略を表した構成概略図を示す。
【００２６】
図１に示されるガス絶縁計器用変圧器１０は、変圧器としての役割を果たす変圧器本体部１１と、ガス絶縁開閉装置１２との電気的な接続状態、すなわち、短絡（入）または開放（切）を切り替える接点機構部１３を制御する制御手段１４とを具備する。
【００２７】
変圧器本体部１１は、接点機構部１３と、電圧変成を行う電圧変成部１７と、接点機構部１３の入／切状態を切り替える接点機構駆動装置１８と、この接点機構駆動装置１８を手動操作にて駆動させる操作ハンドル１９とを備える。
【００２８】
接点機構部１３は、ガス絶縁開閉装置１２側と電圧変成部１７側とに設けられる接点２１ａ，２１ｂと、接点２１ａ，２１ｂとを短絡または開放する接触子２２を有する駆動ロッド２３を備える。接点機構部１３の接点２１ａ，２１ｂは、駆動ロッド２３の摺動動作によって、接触子２２が接触したり離れたりすることで、入／切状態を切り替えを行う。
【００２９】
変圧器本体部１１のうち、電圧変成部１７と、接点機構部１３の一部、具体的には接点２１ａ，２１ｂおよび駆動ロッド２３の一部は、例えば、ＳＦ６（六フッ化硫黄）等の絶縁ガスを充填したケーシング２５内に格納されており、接点機構駆動装置１８および操作ハンドル１９は、ケーシング２５外部に設けられる。
【００３０】
また、ケーシング２５外部に設けられる接点機構駆動装置１８には、回転軸２７が貫通して設けられ、回転軸２７の一方の端部には、操作ハンドル１９が回転軸２７に着脱可能に取り付けられる。そして、回転軸２７の他方は、制御手段１４と機械的に接続される。
【００３１】
ケーシング２５外部に設けられた接点機構駆動装置１８は、操作ハンドル１９を回転操作させることで、回転軸２７が回転し、駆動ロッド２３を駆動させるように構成される。従って、接点機構駆動装置１８は、操作ハンドル１９を回転操作させることによって、駆動ロッド２３が駆動し、接点機構部１３の電気的な接続状態を、すなわち、入／切状態を切り替えることが可能となる。
【００３２】
ガス絶縁計器用変圧器１０が具備する制御手段１４は、回転軸２７の回転数を検出する回転数検出手段２８と、回転軸２７を回転駆動させる駆動手段２９と、駆動手段２９を制御する駆動制御手段３０と、駆動制御手段３０に指令を入力する入力手段３１と、現在の接点機構部１３の入／切状態を表示する表示手段３２と、接点機構部１３の入／切状態の検出を行う入／切状態検出手段３３とを備える。
【００３３】
制御手段１４が備える回転数検出手段２８は、変圧器本体部１１のケーシング２５の外部に設けられる接点機構駆動装置１８と駆動手段２９との間に設けられる。接点機構駆動装置１８と駆動手段２９とは、回転軸２７により機械的に接続され、回転数検出手段２８は、接点機構駆動装置１８または駆動手段２９により回転駆動する回転軸２７の回転数を検出する。
【００３４】
駆動手段２９は、回転軸２７を回転駆動させる電動モータ３５と、電動モータ３５の電源３６と、電源３６の入／切を制御する電動モータスイッチ部３７とを備える。電動モータ３５は、自己の回転運動に伴い、回転軸２７を回転させることができるように回転軸２７と連結される。また、電動モータスイッチ部３７は、駆動制御手段３０が出力する制御信号によって電源３６の入／切を制御する制御操作を実行する。
【００３５】
ガス絶縁計器用変圧器１０において、実施する接点機構部１３の電気的な接続状態（入／切状態）の切替操作について説明する。
【００３６】
まず、ガス絶縁計器用変圧器１０の接点機構部１３における入／切状態を切り替え操作する者（以下、操作員とする）が、入力手段３１から接点機構部１３の入／切状態を切り替える旨の入力操作を行う。すると、駆動制御手段３０は、入力手段３１で操作員が入力した操作内容に応じた制御信号を電源３６および電動モータスイッチ部３７へ出力して電動モータ３５を駆動させる。
【００３７】
電動モータ３５が駆動すると、回転軸２７が回転を開始し接点機構駆動装置１８に回転軸２７の回転運動が伝達される。接点機構駆動装置１８は、回転軸２７からの回転運動が伝達されると、駆動ロッド２３が駆動して、駆動ロッド２３の接触子２２と接点２１ａ，２１ｂとが接触または切り離される。
【００３８】
接触子２２が接点２１ａ，２１ｂと接触し短絡した場合、接点機構部１３は入状態となる。一方、接触子２２が接点２１ａ，２１ｂとを切り離し開放した場合、接点機構部１３は切状態となる。
【００３９】
接点機構部１３における入／切状態は、入／切状態検出手段３３によって検出され、検出された入状態または切状態は、表示手段３２に表示される。入／切状態検出手段３３は、駆動ロッド２３の機械的変位を取得可能に構成され、取得した駆動ロッド２３の機械的変位に基づいて接点機構部１３の入／切状態を検出する。そして、接点機構部１３の入／切状態を示す入／切状態検出信号は駆動制御手段３０へ出力される。
【００４０】
駆動制御手段３０では、入力された入／切状態検出信号の信号処理がなされ、現在の接点機構部１３の入／切状態を表示手段３２に表示する。従って、操作員は一目で接点機構部１３の入／切状態を把握することができる。
【００４１】
尚、説明において、回転軸２７の回転運動は、電動モータ３５により接点機構駆動装置１８に伝達されているが、従来のガス絶縁計器用変圧器１０と同様に操作ハンドル１９により手動で回転軸２７を回転させることも可能である。操作ハンドル１９を手動操作すると、回転軸２７が回転駆動し、接点機構駆動装置１８を介して接続された絶縁ロッド２３が移動して、接触子２２と接点２１ａ，２１ｂとが接触または切り離される。
【００４２】
操作ハンドル１９を手動操作して接点機構部１３の入／切状態を切り替える場合においても、電動モータ３５による接点機構部１３の入／切状態の切り替えと同様に、操作員は入／切状態検出手段３３が検出した接点機構部１３の入／切状態を表示手段３２を見ることで一目で把握することができる。
【００４３】
ガス絶縁計器用変圧器１０によれば、操作員が遠隔の入力手段３１からガス絶縁計器用変圧器１０のケーシング２５の内部に設けられる接点２１ａ，２１ｂと駆動ロッド２３との接触または切り離しの状態を操作することが可能となる。従って、操作員はガス絶縁計器用変圧器１０の近傍で操作を行う必要が無く安全に接点機構部１３の入／切状態の切替操作を実行することができる。
【００４４】
また、現在の接点機構部１３の入／切状態が表示手段３２に表示されるため、一目で接点機構部１３の入／切状態を把握できる。従って、操作員の誤操作の発生確率を従来のガス絶縁計器用変圧器よりも抑えることが可能となる。
【００４５】
一方、操作ハンドル１９を手動操作して接点機構駆動装置１８を駆動させて接点機構部１３の入／切状態を切り替える場合においても、電動モータ３５にて接点機構駆動装置１８を駆動させて接点機構部１３の入／切状態を切り替える場合と同様に表示手段３２により視覚的に確認できる。
【００４６】
［第２の実施形態］
図２に本発明の第２の実施形態に係るガス絶縁計器用変圧器の一実施例であるガス絶縁計器用変圧器１０Ａの構成概略を表した構成概略図を示す。
【００４７】
図２に示されるガス絶縁計器用変圧器１０Ａは、図１に示されるガス絶縁計器用変圧器１０に対して、制御手段１４の代わりにガス絶縁開閉装置１２の接地開閉器（図２〜図５においては、Ｅａｒｔｈ  Ｓｗｉｔｃｈ：ＥＳと省略して図示する）４０の接地状態の検出し出力する制御手段１４Ａを備える点で異なるが、その他の点については本質的に異ならない。そこで、ガス絶縁計器用変圧器１０と異ならない箇所については同一の符号を付して説明を省略する。
【００４８】
図２に示されるガス絶縁計器用変圧器１０Ａは、変圧器本体部１１と、ガス絶縁開閉装置１２との入／切状態を切り替える接点機構部１３を制御する制御手段１４Ａとを具備する。
【００４９】
制御手段１４Ａは、回転数検出手段２８と、駆動手段２９と、駆動制御手段３０と、入力手段３１と、表示手段３２と、入／切状態検出手段３３と、ガス絶縁開閉装置１２の接地開閉器４０の接地状態を検出する接地状態検出手段４１とを備える。また、ガス絶縁計器用変圧器１０と同様に、制御手段１４Ａおよび変圧器本体部１１は、回転軸２７により機械的に接続される。
【００５０】
制御手段１４Ａが備える接地状態検出手段４１は、ガス絶縁開閉装置１２の接地開閉器４０が接地されているか否かを検出する。そして、検出した接地開閉器４０の接地状態を駆動制御手段３０へ出力する。
【００５１】
ここで、ガス絶縁計器用変圧器１０Ａにおける接点機構部１３の電気的な接続状態（入／切状態）の切替操作について説明する。
【００５２】
まず、操作員が、入力手段３１から接点機構部１３の入／切状態を切り替える旨の入力操作を行うと、制御手段１４Ａに備えられる接地状態検出手段４１がガス絶縁開閉装置１２の接地開閉器４０が接地されているか否かを検出する。検出された接地開閉器４０の接地状態は駆動制御手段３０に入力される。
【００５３】
接地開閉器４０の接地状態が入力されると次に、駆動制御手段３０は、接地開閉器４０が接地された（投入）状態にある場合、すなわち、接点２１ａの電位が接地電位と実質的に等しい場合に限り、電源３６および電動モータスイッチ部３７へ制御信号を出力して電動モータ３５を駆動させる。
【００５４】
電動モータ３５が駆動を開始した後の動作は、ガス絶縁計器用変圧器１０と同様であり、接点機構駆動装置１８が駆動し、駆動ロッド２３を移動して接触子２２と接点２１ａ，２１ｂとが接触または切り離される。また、接点機構部１３における入／切状態は、入／切状態検出手段３３によって検出され、検出された入状態または切状態は、表示手段３２に表示される。
【００５５】
一方、接地開閉器４０が接地されていない（開放）状態にある場合、電動モータ３５は駆動することはない。従って、ガス絶縁計器用変圧器１０Ａの通電中における接点機構部１３の入／切状態の切替操作を防止することができる。
【００５６】
ガス絶縁計器用変圧器１０Ａによれば、接地開閉器４０が接地されているか否かを接地状態検出手段４１で検出し、接地開閉器４０が接地されている場合、すなわち、接地開閉器４０が投入状態にある場合に限って、駆動制御手段３０は、電源３６および電動モータスイッチ部３７へ制御信号を出力して電動モータ３５を駆動させる。従って、ガス絶縁計器用変圧器１０Ａの通電中における接点機構部１３の入／切状態の切替操作を防止することが可能となり、操作員による誤操作を防止することができる。
【００５７】
［第３の実施形態］
図３に本発明の第３の実施形態に係るガス絶縁計器用変圧器の一実施例であるガス絶縁計器用変圧器１０Ｂの構成概略を表した構成概略図を示す。
【００５８】
図３に示されるガス絶縁計器用変圧器１０Ｂは、図２に示されるガス絶縁計器用変圧器１０Ａに対して、制御手段１４Ａの代わりにガス絶縁開閉装置１２の遮断器（図３〜図５においては、Ｃｉｒｃｕｉｔ  Ｂｒｅａｋｅｒ：ＣＢと省略して図示する）４３が投入可能な状態にあるか否かを検出し出力する制御手段１４Ｂを備える点で異なるが、その他の点については本質的に異ならない。そこで、ガス絶縁計器用変圧器１０Ａと異ならない箇所については同一の符号を付して説明を省略する。
【００５９】
図３に示されるガス絶縁計器用変圧器１０Ｂは、変圧器本体部１１と、ガス絶縁開閉装置１２との入／切状態を切り替える接点機構部１３を制御する制御手段１４Ｂとを具備する。
【００６０】
制御手段１４Ｂは、回転数検出手段２８と、駆動手段２９と、駆動制御手段３０と、入力手段３１と、表示手段３２と、入／切状態検出手段３３と、接地状態検出手段４１と、遮断器４３が投入可能な状態にあるか否かを検出し出力する遮断器投入可否検出手段４５とを備える。また、ガス絶縁計器用変圧器１０Ａと同様に、制御手段１４Ｂおよび変圧器本体部１１は、回転軸２７により機械的に接続される。
【００６１】
制御手段１４Ｂが備える遮断器投入可否検出手段４５は、ガス絶縁開閉装置１２の遮断器４３が投入可能な状態にあるか否かを検出する。そして、検出した遮断器４３の投入可否状態を駆動制御手段３０へ出力する。
【００６２】
ここで、ガス絶縁計器用変圧器１０Ｂにおける接点機構部１３の電気的な接続状態（入／切状態）の切替操作について説明する。
【００６３】
まず、操作員が、入力手段３１から接点機構部１３の入／切状態を切り替える旨の入力操作を行うと、制御手段１４Ｂに備えられる遮断器投入可否検出手段４５がガス絶縁開閉装置１２の遮断器４３が投入可能な状態にあるか否かを検出する。そして、検出した遮断器４３の投入可否状態は駆動制御手段３０に入力される。
【００６４】
遮断器４３の投入可否状態が入力されると次に、駆動制御手段３０は、遮断器４３が投入可能な状態にある場合に限り、電源３６および電動モータスイッチ部３７へ制御信号を出力して電動モータ３５を駆動させる。尚、遮断器４３が投入可能な状態とは、入／切状態検出手段３３によって検出された状態が入状態であり、かつ、回転数検出手段２８で検出された回転数が事前設定された規定回転数より速い回転数が検出された場合をいう。
【００６５】
電動モータ３５が駆動を開始した後の動作は、ガス絶縁計器用変圧器１０Ａと同様であり、接点機構駆動装置１８が駆動し、駆動ロッド２３を移動して接触子２２と接点２１ａ，２１ｂとが接触または切り離される。また、接点機構部１３における入／切状態は、入／切状態検出手段３３によって検出され、検出された入状態または切状態は、表示手段３２に表示される。
【００６６】
一方、遮断器４３が投入可能な状態にない場合、電動モータ３５は駆動することはない。従って、ガス絶縁計器用変圧器１０Ｂの接点機構部１３が開放状態にある場合や通電中であるが回転軸２７の回転数が規定回転数より遅い場合における接点機構部１３の入／切状態の切替操作を防止することができる。
【００６７】
尚、ガス絶縁計器用変圧器１０Ｂは、ガス絶縁計器用変圧器１０Ａの制御手段１４Ａの代わりに制御手段１４Ｂを具備している、すなわち、制御手段１４Ａに加え、さらに遮断器投入可否検出手段４５を備えている形態を説明しているが、制御手段１４に遮断器投入可否検出手段４５を備える形態にしても良い。
【００６８】
ガス絶縁計器用変圧器１０Ｂによれば、遮断器４３が投入可能な状態にあるか否かを遮断器投入可否検出手段４５で検出し、遮断器４３が投入可能な状態にある場合に限って、駆動制御手段３０は、電源３６および電動モータスイッチ部３７へ制御信号を出力して電動モータ３５を駆動させる。従って、操作員は、ガス絶縁計器用変圧器１０Ｂの通電中における接点機構部１３の入／切状態の切替操作を防止することが可能となり、操作員による誤操作を防止することができる。
【００６９】
［第４の実施形態］
図４に本発明の第４の実施形態に係るガス絶縁計器用変圧器の一実施例であるガス絶縁計器用変圧器１０Ｃの構成概略を表した構成概略図を示す。
【００７０】
図４に示されるガス絶縁計器用変圧器１０Ｃは、図３に示されるガス絶縁計器用変圧器１０Ｂに対して、入力手段３１および表示手段３２の代わりに入力手段３１Ａおよび表示手段３２Ａを備える制御手段１４Ｃを具備する点と、無線携帯操作手段４７をさらに具備する点とで異なるが、その他の点については本質的に異ならない。そこで、ガス絶縁計器用変圧器１０Ｂと異ならない箇所については同一の符号を付して説明を省略する。
【００７１】
図４に示されるガス絶縁計器用変圧器１０Ｃは、変圧器本体部１１と、ガス絶縁開閉装置１２との入／切状態を切り替える接点機構部１３を制御する制御手段１４Ｃと、制御手段１４Ｃの入力操作等を遠隔操作可能な無線携帯操作手段４７とを具備する。
【００７２】
図４に示されるガス絶縁計器用変圧器１０Ｃが具備する制御手段１４Ｃは、回転数検出手段２８と、駆動手段２９と、駆動制御手段３０と、無線で入力操作可能な入力手段３１Ａと、表示内容を無線携帯操作手段４７へ送信可能な表示手段３２Ａと、入／切状態検出手段３３と、接地状態検出手段４１と、遮断器４３が投入可能な状態にあるか否かを検出し出力する遮断器投入可否検出手段４５とを備える。そして、ガス絶縁計器用変圧器１０Ｂと同様に、制御手段１４Ｃおよび変圧器本体部１１は、回転軸２７により機械的に接続される。
【００７３】
また、無線携帯操作手段４７は、入力手段３１Ａへ入力した内容を無線で送信する入力操作無線送信部４８と、表示手段３２Ａから送信される表示内容を無線で受信する表示内容無線受信部４９と、表示内容無線受信部４９で受信した内容を表示する受信内容表示部５０とを備える。
【００７４】
制御手段１４Ｃが備える入力手段３１Ａは、無線で入力操作を受け付ける無線受信部５２を備える。一方、表示手段３２Ａは、表示手段３２Ａで表示する表示内容を無線で無線携帯操作手段４７へ送信する無線送信部５３を備える。
【００７５】
ここで、ガス絶縁計器用変圧器１０Ｃにおける接点機構部１３の電気的な接続状態（入／切状態）の切替操作について説明する。
【００７６】
まず、操作員が無線携帯操作手段４７より入力操作を行う。無線携帯操作手段４７から操作員が接点機構部１３の入／切状態を切り替える旨の入力操作を行うと、入力した操作内容が無線で送信されて入力手段３１Ａで受信される。入力手段３１Ａにおいて入力操作内容の受信は、無線受信部５２が行う。
【００７７】
入力手段３１Ａが無線受信部５２にて入力操作内容受け付けると、制御手段１４Ｃに備えられる遮断器投入可否検出手段４５が、ガス絶縁開閉装置１２の遮断器４３が投入可能な状態にあるか否かを検出する。そして、検出した遮断器４３の投入可否状態が駆動制御手段３０に入力される。
【００７８】
その後の処理操作内容については、ガス絶縁計器用変圧器１０Ｂと同様である。すなわち、駆動制御手段３０は、遮断器４３が投入可能な状態にある場合に限り、電源３６および電動モータスイッチ部３７へ制御信号を出力して電動モータ３５を駆動させる。そして、接点機構駆動装置１８が駆動し、駆動ロッド２３を移動して接触子２２と接点２１ａ，２１ｂとが接触または切り離される。
【００７９】
また、接点機構部１３における入／切状態は、入／切状態検出手段３３によって検出され、検出された入状態または切状態は、表示手段３２Ａに表示されると同時に、表示手段３２Ａが備える無線送信部５３によって無線携帯操作手段４７へ無線で送信される。無線で送信された表示内容は、表示内容無線受信部４９で受信される。そして、表示内容無線受信部４９で受信された表示内容は、受信内容表示部５０に表示される。
【００８０】
尚、ここでは、無線携帯操作手段４７から入力する場合を説明しているが、第１〜第３の実施形態で説明した様に入力手段３２Ａから直接入力操作を実行することも可能であり、入力手段３２Ａから直接に入力操作を実行しても構わない。
【００８１】
また、ガス絶縁計器用変圧器１０Ｃは、ガス絶縁計器用変圧器１０Ｂの制御手段１４Ｂの入力手段３１および表示手段３２の代わりに、入力手段３１Ａおよび表示手段３２Ａを備える制御手段１４Ｃと無線携帯操作手段４７とを具備している形態を説明しているが、制御手段１４の入力手段３１および表示手段３２を入力手段３１Ａおよび表示手段３２Ａと置換して、無線携帯操作手段４７をさらに具備する形態にしても良い。
【００８２】
同様にして、制御手段１４Ａの入力手段３１および表示手段３２を入力手段３１Ａおよび表示手段３２Ａと置換して、無線携帯操作手段４７をさらに具備する形態にしても良い。
【００８３】
さらに、ガス絶縁計器用変圧器１０Ｃは、無線で入力手段３１Ａ、表示手段３２Ａおよび無線携帯操作手段４７を接続しているが、必ずしも無線でなくても良い。すなわち、有線により接続した形態も包含する。
【００８４】
ガス絶縁計器用変圧器１０Ｃによれば、入力手段３１Ａからだけでなく、無線携帯操作手段４７を用いて、無線信号が送受信可能な範囲内の自由な場所で入力操作を行うことができる。また、表示手段３２Ａを直接見に行くことなく現在の入／切状態、すなわち、接点２１ａ，２１ｂと接触子２２との接触状態を無線携帯操作手段４７の表示部５０により確認することができる。
【００８５】
従って、操作員は、安全な場所にいながらの接続、接点２１ａ，２１ｂと接触子２２との入／切状態の切替操作の入力操作や確認を実施できる。すなわち、ガス絶縁計器用変圧器１０Ｃは、第１〜第３の実施形態の一実施例であるガス絶縁計器用変圧器１０，１０Ａ，１０Ｂよりも安全な状態での入力操作が実施可能となる。
【００８６】
［第５の実施形態］
図５に本発明の第５の実施形態に係るガス絶縁計器用変圧器の一実施例であるガス絶縁計器用変圧器１０Ｄの構成概略を表した構成概略図を示す。
【００８７】
図５に示されるガス絶縁計器用変圧器１０Ｄは、図４に示されるガス絶縁計器用変圧器１０Ｃに対して、制御手段１４Ｃの代わりに制御手段１４Ｄを具備する点で異なるが、その他の点については本質的に異ならない。そこで、ガス絶縁計器用変圧器１０Ｃと異ならない箇所については同一の符号を付して説明を省略する。
【００８８】
図５に示されるガス絶縁計器用変圧器１０Ｄは、変圧器本体部１１と、ガス絶縁開閉装置１２との入／切状態を切り替える接点機構部１３を制御する制御手段１４Ｄと、無線携帯操作手段４７とを具備する。
【００８９】
図４に示されるガス絶縁計器用変圧器１０Ｄが具備する制御手段１４Ｄは、制御手段１４Ｃに加え、回転数検出手段２８と接点機構駆動装置１８との間の回転軸２７上に回転軸２７の回転を停止させる回転ロック手段５６をさらに備える。
【００９０】
具体的に説明すれば、制御手段１４Ｄは、制御手段１４Ｃが備える回転数検出手段２８と、駆動手段２９と、駆動制御手段３０と、入力手段３１Ａと、表示手段３２Ａと、入／切状態検出手段３３と、接地状態検出手段４１と、遮断器投入可否検出手段４５とに加え、回転ロック手段５６をさらに備える。そして、ガス絶縁計器用変圧器１０Ｃと同様に、制御手段１４Ｄおよび変圧器本体部１１は、回転軸２７により機械的に接続される。
【００９１】
回転ロック手段５６は、通常、駆動制御手段３０により制御される。そして、制御手段１４Ｄの検出異常または電動モータ３５の動作異常時等の非常事態が生じると、回転軸２７をロックしてブレーキをかけることによって回転軸２７の回転を停止させる。また、回転ロック手段５６は、手動でブレーキをかけることも可能に構成されている。
【００９２】
ここで、ガス絶縁計器用変圧器１０Ｄにおける接点機構部１３の電気的な接続状態（入／切状態）の切替操作については、他の実施形態とほとんど同様である。しかし、ガス絶縁計器用変圧器１０Ｄは、制御手段１４Ｄが回転ロック手段５６を備えることで、制御手段１４Ｄの検出異常または電動モータ３５の動作異常時等の非常事態が生じた場合において、回転ロック手段５６が動作して回転軸の回転を停止させることができる。
【００９３】
また、操作ハンドル１９による手動操作時に回転数超過等の誤操作を生じた場合にも回転ロック手段５６が動作して強制的に操作を停止させることもできる。そして、制御手段１４Ｄの異常により電動で動作しない場合は、手動でも動作させることが可能となる。
【００９４】
尚、ガス絶縁計器用変圧器１０Ｄは、制御手段１４Ｃの代わりに回転ロック手段５６をさらに備えた制御手段１４Ｄを具備する形態、ガス絶縁計器用変圧器１０Ｃに回転ロック手段５６をさらに備えた形態を説明しているが、ガス絶縁計器用変圧器１０Ｃの代わりに、ガス絶縁計器用変圧器１０に回転ロック手段５６をさらに備えさせても良い。
【００９５】
また、ガス絶縁計器用変圧器１０の場合と同様にして、ガス絶縁計器用変圧器１０Ｃの代わりに、ガス絶縁計器用変圧器１０Ａ，１０Ｂに回転ロック手段５６をさらに備えさせても良い。
【００９６】
ガス絶縁計器用変圧器１０Ｄによれば、回転ロック手段５６を備えることで、非常時に入／切状態の切替操作を停止させて状態を保持する事ができる。すなわち、誤操作の防止が可能とすることができる。
【００９７】
以上、本発明の第１の実施形態に係るガス絶縁計器用変圧器によれば、例えば、操作員が遠隔の入力手段からケーシングの内部に設けられる接点と駆動ロッドとの接触または切り離しの状態を操作することが可能となる。従って、操作員はガス絶縁計器用変圧器の近傍で操作を行う必要が無く安全に接点機構部の入／切状態の切替操作を実行することができる。
【００９８】
また、現在の接点機構部の入／切状態が表示手段に表示されるため、一目で接点機構部の入／切状態を把握できる。従って、操作員の誤操作の発生確率を従来のガス絶縁計器用変圧器よりも抑えることが可能となる。
【００９９】
さらに、操作ハンドルを手動操作して接点機構駆動装置を駆動させて接点機構部の入／切状態を切り替える場合においても、電動モータにて接点機構駆動装置を駆動させて接点機構部の入／切状態を切り替える場合と同様に表示手段により視覚的に確認できる。
【０１００】
本発明に係る本発明の第２の実施形態に係るガス絶縁計器用変圧器によれば、接地開閉器が接地されているか否かを接地状態検出手段で検出し、接地開閉器が接地されている場合、すなわち、接地開閉器が投入状態にある場合に限って、駆動制御手段は、電源および電動モータスイッチ部へ制御信号を出力して電動モータを駆動させる。
【０１０１】
従って、ガス絶縁計器用変圧器の通電中における接点機構部の入／切状態の切替操作を防止することが可能となり、操作員による誤操作を防止することができる。
【０１０２】
本発明に係る本発明の第３の実施形態に係るガス絶縁計器用変圧器によれば、遮断器が投入可能な状態にあるか否かを遮断器投入可否検出手段で検出し、遮断器が投入可能な状態にある場合に限って、駆動制御手段は、電源および電動モータスイッチ部へ制御信号を出力して電動モータを駆動させる。従って、操作員は、ガス絶縁計器用変圧器の通電中における接点機構部の入／切状態の切替操作を防止することが可能となり、操作員による誤操作を防止することができる。
【０１０３】
本発明に係る本発明の第４の実施形態に係るガス絶縁計器用変圧器によれば、入力手段からだけでなく、無線携帯操作手段を用いて、無線信号が送受信可能な範囲内の自由な場所で入力操作を行うことができる。また、表示手段を直接見に行くことなく現在の入／切状態、すなわち、接点と接触子との接触状態を無線携帯操作手段の表示部により確認することができる。
【０１０４】
従って、操作員は、安全な場所にいながら、接点と接触子との入／切状態の切替操作の入力操作や確認を実施できる。すなわち、第１〜第３の実施形態に係るガス絶縁計器用変圧器よりも安全な状態での入力操作が実施可能となる。
【０１０５】
本発明に係る本発明の第５の実施形態に係るガス絶縁計器用変圧器によれば、回転ロック手段を備えることで、非常時に入／切状態の切替操作を停止させて状態を保持する事ができる。すなわち、誤操作の防止が可能とすることができる。
【０１０６】
また、本発明に係るガス絶縁計器用変圧器における電圧変成部は、図に示されない電圧変成ユニットが１個で構成される単相形であっても、複数個で構成される多相形であっても良い。すなわち、ガス絶縁計器用変圧器１０，１０Ａ，１０Ｂ，１０Ｃ，１０Ｄは、電圧変成部１７が単相形、多相形を問わず同様の構成で実現することができる。
【０１０７】
【発明の効果】
本発明に係るガス絶縁計器用変圧器によれば、接点と接触子との入／切状態の切替操作の操作を遠方からの入力操作により行うことができ、操作の容易化および安全性の向上を図ったガス絶縁計器用変圧器を提供することができる。
【０１０８】
また、接地状態検出手段や遮断器投入可否検出手段を操作員の誤操作防止のために設けることで、誤操作の防止を図り信頼性を高めたガス絶縁計器用変圧器を提供することができる。さらに、遠隔無線操作を可能とすることで、操作の融通性および利便性を向上させたガス絶縁計器用変圧器を提供することができる。
【図面の簡単な説明】
【図１】本発明の第１の実施形態に係るガス絶縁計器用変圧器の一実施例の構成概略を表した構成概略図。
【図２】本発明の第２の実施形態に係るガス絶縁計器用変圧器の一実施例の構成概略を表した構成概略図。
【図３】本発明の第３の実施形態に係るガス絶縁計器用変圧器の一実施例の構成概略を表した構成概略図。
【図４】本発明の第４の実施形態に係るガス絶縁計器用変圧器の一実施例の構成概略を表した構成概略図。
【図５】本発明の第５の実施形態に係るガス絶縁計器用変圧器の一実施例の構成概略を表した構成概略図。
【図６】従来のガス絶縁計器用変圧器の内部構造を示した断面図であり、通常運用時の状態を説明する説明図。
【図７】従来のガス絶縁計器用変圧器の内部構造を示した断面図であり、絶縁試験時の状態を説明する説明図。
【符号の説明】
１０，１０Ａ，１０Ｂ，１０Ｃ，１０Ｄ  ガス絶縁変圧器
１１  変圧器本体部
１２  ガス絶縁開閉装置
１３  接点機構部
１４，１４Ａ，１４Ｂ，１４Ｃ，１４Ｄ  制御手段
１７  電圧変成部
１８  接点機構駆動装置
１９  操作ハンドル
２１ａ  （ガス絶縁開閉装置側の）接点
２１ｂ  （電圧変成部側の）接点
２２  接触子
２３  駆動ロッド
２５  ケーシング
２７  回転軸
２８  回転数検出手段
２９  駆動手段
３０  駆動制御手段
３１，３１Ａ  入力手段
３２，３２Ａ  表示手段
３３  入／切状態検出手段
３５  電動モータ
３６  電源
３７  電動モータスイッチ部
４０  接地開閉器（Ｅａｒｔｈ  Ｓｗｉｔｃｈ：ＥＳ）
４１  接地状態検出手段
４３  遮断器（Ｃｉｒｃｕｉｔ  Ｂｒｅａｋｅｒ：ＣＢ）
４５  遮断器投入可否検出手段
４７  無線携帯操作手段
４８  入力操作無線送信部
４９  表示内容無線受信部
５０  受信内容表示部
５３  無線受信部
５４  無線送信部
５６  回転ロック手段
【図１】
2004273858.tif 000003
【図２】
2004273858.tif 000004
【図３】
2004273858.tif 000005
【図４】
2004273858.tif 000006
【図５】
2004273858.tif 000007
【図６】
2004273858.tif 000008
【図７】
2004273858.tif 000009